(57)【要約】【課題】電動モータの振れを高度に抑制することが可能な電動アクチュエータを提供する。【解決手段】ケースと、ケースに内蔵された電動モータ５と、電動モータ５の回転運動を直線運動に変換する運動変換機構４とを備え、電動モータ５が、その軸方向の一端部側でケース（ギヤケース１０）に対して固定されると共に、反対の他端部側で導電部材７０がモータ端子に接続された電動アクチュエータにおいて、導電部材７０とケース（モータケース６０）との間に弾性部材３８を設けた。【選択図】図１
2020005454.tif 000002
【特許請求の範囲】
【請求項１】
ケースと、前記ケースに内蔵された電動モータと、前記電動モータの回転運動を直線運動に変換する運動変換機構とを備え、前記電動モータが、その軸方向の一端部側で前記ケースに対して固定されると共に、反対の他端部側で導電部材がモータ端子に接続された電動アクチュエータにおいて、
前記導電部材と前記ケースとの間に弾性部材を設けたことを特徴とする電動アクチュエータ。
【請求項２】
前記導電部材を保持するホルダ部を備え、
前記ホルダ部と前記ケースとの間に前記弾性部材を挟んで保持するようにした請求項１に記載の電動アクチュエータ。
【請求項３】
前記ホルダ部と前記ケースとによって前記弾性部材を前記電動モータの軸方向に挟んで保持するように構成した請求項２に記載の電動アクチュエータ。
【請求項４】
前記弾性部材をＯリングとし、
前記ホルダ部に筒状部を設け、
前記筒状部の外周に前記Ｏリングを装着した請求項２又は３に記載の電動アクチュエータ。
【請求項５】
前記ケースは、互いに係合して組み付け可能に構成された第１ケース分割体と第２ケース分割体とを有し、
前記第１ケース分割体に組み付けられた前記第２ケース分割体と、前記ホルダ部との間に、前記弾性部材を挟んで保持し、
前記第２ケース分割体と前記ホルダ部とによって挟まれて保持されている前記弾性部材の弾性反発力によって、前記第２ケース分割体が前記第１ケース分割体に対して係合する方向に付勢されるように構成した請求項２から４のいずれか１項に記載の電動アクチュエータ。
【発明の詳細な説明】
【技術分野】
【０００１】
本発明は、電動アクチュエータに関する。
【背景技術】
【０００２】
近年、車両等の省力化、低燃費化のために電動化が進み、例えば、自動車の自動変速機やブレーキ、ステアリング等の操作を電動機の力で行うシステムが開発され、市場に投入されている。
【０００３】
このような用途に使用されるアクチュエータとして、例えば、下記特許文献１には、電動モータの回転運動を直線運動に変換して出力するボールねじ機構を備えるものが開示されている。また、特許文献１には、電動モータの軸方向の一端部側に板状のステーを取り付け、そのステーを介して電動モータをアクチュエータケースにボルトで締結することで、振動に対する電動モータの位置保持力を向上させた構成が提案されている。
【先行技術文献】
【特許文献】
【０００４】
【特許文献１】特開２０１８−７４７９０号公報
【発明の概要】
【発明が解決しようとする課題】
【０００５】
しかしながら、上記特許文献１に提案されている構成においては、電動モータが、ステーが設けられた側とは反対側では全く支持されていない片持ち支持の状態であるため、外部からの振動（エンジンからの振動や車両走行中に生じる振動など）が電動モータに伝わると、電動モータの支持されていない側で振れが生じる可能性がある。従って、特許文献１に提案されている構成は、厳しい振動条件下での適用には十分ではなく、改善が必要であった。
【０００６】
そこで、本発明は、電動モータの振れを高度に抑制することが可能な電動アクチュエータを提供することを目的とする。
【課題を解決するための手段】
【０００７】
上記課題を解決するため、本発明は、ケースと、ケースに内蔵された電動モータと、電動モータの回転運動を直線運動に変換する運動変換機構とを備え、電動モータが、その軸方向の一端部側でケースに対して固定されると共に、反対の他端部側で導電部材がモータ端子に接続された電動アクチュエータにおいて、導電部材とケースとの間に弾性部材を設けたことを特徴とする。
【０００８】
このように、導電部材とケースとの間に弾性部材を設けることで、電動モータにおけるケースに固定された一端部側とは反対側の他端部側が弾性部材によって弾性的に支持されるようになる。これにより、外部からの振動が電動モータに伝わったとしても、電動モータの他端部側での振れが弾性部材によって吸収されることで、振れが高度に抑制される。
【０００９】
導電部材を保持するホルダ部を備える場合、ホルダ部とケースとの間に弾性部材を挟んで保持するようにしてもよい。この場合、電動モータの他端部側はホルダ部を介して弾性的に支持されるので、弾性部材によって電動モータの他端部側での振れが高度に抑制される。
【００１０】
また、ホルダ部とケースとによって弾性部材を電動モータの軸方向に挟んで保持するように構成してもよい。この場合、弾性部材が電動モータの軸方向に挟まれていることで、弾性部材にその軸方向の弾性反発力が生じる。従って、この軸方向の弾性反発力により電動モータの軸方向の振れ（振れの軸方向成分）を抑制することができる。ただし、弾性部材によって抑制される振れは、電動モータの軸方向の振れだけに限らず、他の任意の方向の振れも抑制することが可能である。すなわち、ホルダ部とケースとの間で生じる弾性部材の摩擦力や弾性部材の種々の方向に作用する弾性力によって、電動モータの軸方向と交差する任意の方向の振れも抑制することができる。
【００１１】
また、弾性部材をＯリングとし、ホルダ部に筒状部を設け、筒状部の外周にＯリングを装着してもよい。このような構成とすることで、弾性部材の装着が行いやすくなり、作業性が向上する。
【００１２】
また、ケースは、互いに係合して組み付け可能に構成された第１ケース分割体と第２ケース分割体とを有するものであってもよい。この場合、第１ケース分割体に組み付けられた第２ケース分割体と、ホルダ部との間に、弾性部材を挟んで保持し、第２ケース分割体とホルダ部とによって挟まれて保持されている弾性部材の弾性反発力によって、第２ケース分割体が第１ケース分割体に対して係合する方向に付勢されるように構成するとよい。このように構成することで、ケース分割体同士の係合箇所におけるガタつきを無くし、ケース分割体同士の係合を確実に行わせることができる。
【発明の効果】
【００１３】
本発明によれば、電動モータの振れを高度に抑制することができるので、電動モータの振れに起因する部品の破損などの不具合が生じにくくなり、厳しい振動環境下においても適用可能な信頼性の高い電動アクチュエータを提供できるようになる。
【図面の簡単な説明】
【００１４】
【図１】本発明の実施の一形態に係る電動アクチュエータの断面図である。
【図２】電動モータを支持するステーやボルトの斜視図である。
【図３】ステーがギヤケースに対して固定されている部分を示す断面図である。
【図４】電動モータの反固定端部側及びその周辺部を示す断面図である。
【図５】電動モータ、バスバー及びホルダ部の斜視図である。
【図６】電動モータにホルダ部を固定した状態を示す斜視図である。
【図７】モータケースの本体部及びキャップ部の斜視図である。
【図８】係合部及び被係合部の部分を示す断面図である。
【発明を実施するための形態】
【００１５】
図１は、本発明の実施の一形態に係る電動アクチュエータの断面図である。まず、図１を参照しつつ、本実施形態に係る電動アクチュエータの全体構成及び動作について説明する。
【００１６】
図１に示す電動アクチュエータ１は、電動モータ５を有するモータ部２と、電動モータ５の回転運動を伝達する駆動力伝達機構３と、電動モータ５の回転運動を直線運動に変換する運動変換機構４とを主な構成としている。
【００１７】
モータ部２は、電動モータ５と、電動モータ５に電力供給するための導電部材としての一対のバスバー７０と、電動モータ５やバスバー７０等を収容するモータケース６０とを備えている。本実施形態では、電動モータ５として、安価な（ブラシ付き）ＤＣモータを用いているが、ブラシレスモータ等の他のモータを用いてもよい。なお、ここでいうモータケース６０は、電動モータ５自体が有するケース（ハウジング）とは別体で構成されたものであり、独自のケースを有する電動モータ５全体が収容される電動アクチュエータのケース（アクチュエータケース）である。
【００１８】
モータケース６０は、電動モータ５の大部分を収容する第１ケース分割体としての円筒状の本体部６１と、本体部６１の一端部（図１における左端部）に固定された第２ケース分割体としての蓋状のキャップ部６２とで構成されている。各バスバー７０は、金属製の板部材を所定形状に曲げ加工して形成されており、それぞれ樹脂製のホルダ部７１によって保持されている。また、各バスバー７０は、ホルダ部７１が電動モータ５の端部（図１おける左端部）に固定された状態で、電動モータ５のモータ端子５ｄ（図６参照）に対して溶接により接続されている。キャップ部６２には軸方向に突出する筒状のコネクタ部６２ａが設けられており、コネクタ部６２ａの内周側には各バスバー７０の先端部（モータ端子に接続される側とは反対側の端部）が配置されている。このバスバー７０の先端部に対し、図示しない動力電源から延びる動力線の相手側端子が接続されることで、動力電源から電動モータ５へ電力が供給可能な状態となる。
【００１９】
駆動力伝達機構３は、駆動側のドライブギヤ８と、これと噛み合う被駆動側のドリブンギヤ９とで構成されている。ドライブギヤ８及びドリブンギヤ９は、ギヤケース１０内に収容されている。ドライブギヤ８は、ドリブンギヤ９よりも歯数の少ない小径のギヤであり、電動モータ５の回転軸５ａに対してこれと一体的に回転するように取り付けられている。これに対して、ドリブンギヤ９は、ドライブギヤ８よりも歯数の多い大径のギヤであり、運動変換機構４を構成する後述のナット１７に対してこれと一体的に回転するように取り付けられている。
【００２０】
また、ドライブギヤ８は、その軸方向の両端部にて２つの軸受１１，１２によって回転可能に支持されている。２つの軸受１１，１２のうち、一方（図１において左側）の軸受１１は、電動モータ５の端部に固定された筒状の軸受保持部材１３内に嵌め込まれることによって保持され、他方（図１において右側）の軸受１２は、ギヤケース１０内に嵌め込まれることによって保持されている。ドリブンギヤ９は、ナット１７の外周面に設けられた複列の軸受１４によってナット１７と共に回転可能に支持されている。複列の軸受１４は、ギヤケース１０に設けられた筒状のスリーブ１５内に収容され、スリーブ１５の内周面に装着された止め輪１６によって軸方向への移動が規制されている。複列の軸受１４としては、ナット１７を安定的かつ確実に支持することができるように、ラジアル荷重に加えて、両方向のアキシャル荷重を支承できる複列アンギュラ玉軸受を用いることが好ましい。
【００２１】
電動モータ５が駆動を開始し、電動モータ５の回転軸５ａが回転すると、回転軸５ａと一体的にドライブギヤ８が回転し、これに連動してドリブンギヤ９が回転する。このとき、電動モータ５からの回転運動は、歯数の少ないドライブギヤ８から歯数の多いドリブンギヤ９へ伝達されるので、減速されて回転トルクが増加する。このように、ドライブギヤ８とドリブンギヤ９間での減速により回転トルクを増加させて出力することで、小型の電動モータを用いても十分な出力が得られるようになる。なお、本実施形態とは異なり、ドライブギヤ８とドリブンギヤ９とを同じ歯数のギヤで構成し、電動モータ５からの回転運動を減速せずに伝達するようにしてもよい。
【００２２】
運動変換機構４は、回転部材としてのナット１７と、直動部材としてのねじ軸１８と、多数のボール１９とを有するボールねじ機構である。ナット１７の内周面とねじ軸１８の外周面には、それぞれ螺旋状溝が形成されており、これらの螺旋状溝の間にボール１９が転動可能に収容されている。また、ナット１７には図示しない循環部材が設けられており、この循環部材によってボール１９が螺旋状溝に沿って循環するように構成されている。
【００２３】
ねじ軸１８は、ナット１７の内周に挿通され、電動モータ５の回転軸５ａと平行に配置されている。ねじ軸１８の前端部（図１における左端部）には、連結孔１８ａが設けられており、この連結孔１８ａにボルト等の締結具を挿入することで、ねじ軸１８と操作対象である図示しない使用機器の対応部位とが連結される。電動モータ５の回転運動がドライブギヤ８及びドリブンギヤ９を介してナット１７に伝達されると、ナット１７が回転することで、ねじ軸１８が軸方向の一方（前進方向又は後退方向）へ移動する。反対に、電動モータ５が逆回転した場合は、ドライブギヤ８及びドリブンギヤ９を介して回転運動がナット１７に伝達されて、ねじ軸１８が軸方向の他方へ移動する。このように、電動モータ５の正逆回転によって、ねじ軸１８が前進又は後退することで、ねじ軸１８の前端部に連結された操作対象が操作される。
【００２４】
ねじ軸１８の後端部（操作対象側の端部とは反対側の端部）は、ねじ軸ケース２０によって覆われている。ねじ軸ケース２０は、ギヤケース１０に対してモータケース６０が固定される側とは反対側で固定されている。
【００２５】
また、ねじ軸１８の後端部には、ねじ軸１８の回転を規制する回転規制部材としての回り止めピン２１が設けられている。回り止めピン２１は、ねじ軸１８に対してその軸方向と直交又は交差する方向に取り付けられている。ねじ軸１８の後端部から外径方向に突出する回り止めピン２１の両端部には、それぞれガイドローラ２２が回転可能に取り付けられている。各ガイドローラ２２は、ねじ軸ケース２０に設けられた軸方向に延びる一対のガイド溝２０ａ内に挿入されている。ガイドローラ２２がガイド溝２０ａに沿って軸方向へ移動することで、ねじ軸１８は周方向に回転することなく軸方向に前進又は後退する。
【００２６】
また、ねじ軸１８において、ナット１７よりも前端部側には、電動アクチュエータ１内に異物が侵入するのを防止するブーツ２３と、ブーツ２３を保護するためのブーツカバー２５とが設けられている。ブーツ２３は、小径端部２３ａと大径端部２３ｂとこれらを繋いで軸方向に伸縮する蛇腹部２３ｃとで構成されている。小径端部２３ａはねじ軸１８の外周面に固定され、大径端部２３ｂはブーツカバー２５に取り付けられた筒状のブーツ装着部材２４の外周面に固定されている。ブーツカバー２５は、ブーツ２３の外側を覆うように配置され、モータケース６０の本体部６１と一体成型されている。
【００２７】
ねじ軸１８の往復運動に伴ってブーツ２３が伸縮すると、ブーツ２３内部の圧力が変動するため、特にねじ軸１８の軸方向移動量が大きい場合に内圧変動により蛇腹部２３ｃが過大に変形して、蛇腹部２３ｃの耐久性が低下する虞がある。そこで、ブーツ２３の内圧変動による蛇腹部２３ｃの破損を防ぐために、ねじ軸ケース２０に通気フィルタ２６を設けている。通気フィルタ２６は、電動アクチュエータ１内を通ってブーツ２３の内部空間と連通しており、ブーツ２３が伸縮すると、通気フィルタ２６を通してエアが流入又は流出することで、蛇腹部２３ｃの変形が抑制される。
【００２８】
また、ねじ軸１８の外周面には、ねじ軸１８の軸方向位置を検出するためのセンサターゲットとなる磁石２７が設けられている。一方、モータケース６０の外周には、図示しないストロークセンサが設けられている。ねじ軸１８が前進又は後退すると、これに伴って移動する磁石２７の磁場（例えば磁束密度の向き及び強さ）の変化をストロークセンサが検出することにより、磁石２７の軸方向位置、ひいてはねじ軸１８の軸方向位置が検出される。
【００２９】
ここで、図２及び図３を参照しつつ、本実施形態に係る電動アクチュエータ１における電動モータ５の支持構造について説明する。
【００３０】
図２に示すように、電動モータ５の回転軸５ａが突出する側の端面には、支持部材としての板状のステー４０が２本のボルト４１によって固定される。詳しくは、ステー４０の中央部には孔部４０ａが設けられており、この孔部４０ａに電動モータ５の回転軸５ａを挿通させた状態で、２本のボルト４１をステー４０に設けられたボルト挿通孔４０ｂを通して電動モータ５の端面に設けられたねじ孔５ｂにねじ込むことにより、ステー４０が電動モータ５の端面に対して固定される。また、ステー４０には別の２本のボルト４２を挿通させるボルト挿通孔４０ｃが設けられており、これらのボルト挿通孔４０ｃにボルト４２を挿通させ、図３に示すように、各ボルト４２をギヤケース１０に設けられたねじ孔１０ａにねじ込むことで、ステー４０がギヤケース１０に対して固定される。これにより、電動モータ５はステー４０を介してギヤケース１０に固定される。
【００３１】
このように、本実施形態に係る電動アクチュエータ１において、電動モータ５は、その軸方向の一端部側でステー４０を介してギヤケース１０に対して固定されている。一方、電動モータ５の軸方向の他端部側は、ボルト等によるモータケース６０への締結は行われていない。仮に、この他端部側（以下、「反固定端部側」という。）での電動モータ５に対する支持が全くない場合、電動モータ５が片持ち支持となるため、外部からの振動（例えば、エンジンからの振動や車両走行中に生じる振動など）に曝される振動環境下では、電動アクチュエータを適用するにあたって課題がある。具体的には、外部からの振動が電動モータ５に伝わると、特に電動モータ５の固定端部から離れた箇所（反固定端部側）で電動モータ５の振れが大きくなる傾向にあるため、本実施形態のように、モータ端子５ｄとバスバー７０とが電動モータ５の反固定端部側で接続されている構成においては、その振れによる影響でモータ端子５ｄとバスバー７０との溶接個所が破損するなどしてこれらの接続状態が良好に維持できなくなる虞がある。例えば、電動モータ５の反固定端部側に振れが生じた場合に、電動モータ５に固定されているホルダ部７１が電動モータ５よりも先にモータケース６０の内面に衝突すると、衝突による反力（振れの方向とは反対方向の力）によりホルダ部７１の動き（振れ）が規制される一方、電動モータ５の反固定端部側は振れによる慣性運動によってさらにモータケース６０の内面側へ動くので、ホルダ部７１と電動モータ５との間で相反する方向の運動が発生する。このような場合、ホルダ部７１と電動モータ５との相反する方向の運動によって、モータ端子５ｄとバスバー７０との溶接箇所において互いに分離する方向の負荷がかかる。そして、斯かる負荷が溶接箇所に繰り返し加わることで、溶接個所が疲労等により破損し、ひいては電動アクチュエータ１が故障することになる（制御不能となる）。
【００３２】
そこで、本実施形態では、電動モータ５の反固定端部側での振動を高度に抑制するため、以下のような対策を講じている。
【００３３】
図４は、電動モータの反固定端部側及びその周辺部の断面図である。
【００３４】
図４に示すように、本実施形態に係る電動アクチュエータ１においては、電動モータ５の反固定端部側での振れを抑制するため、バスバー７０とモータケース６０との間に弾性部材としてのゴム製のＯリング３８を設けている。Ｏリング３８は、バスバー７０を保持するホルダ部７１とモータケース６０のキャップ部６２とによって電動モータ５の軸方向に挟まれた状態で保持されている。
【００３５】
以下、Ｏリング３８を挟んで保持するホルダ部７１とキャップ部６２とのそれぞれの構成について詳しく説明する。
【００３６】
図５に示すように、ホルダ部７１は、筒状部７１ａと、筒状部７１ａの外周面よりも外側へ突出するフランジ部７１ｂとを有する。また、ホルダ部７１は、インサート成型によりバスバー７０と一体化されている。フランジ部７１ｂには、互いに１８０°対称となる位置に矩形の凹部７１ｃが形成されており、各凹部７１ｃ内に各バスバー７０の一端部７０ａが露出するように配置されている。一方、各バスバー７０の他端部７０ｂは、筒状部７１ａの２つに仕切られた空間内から軸方向に突出するように配置されている。また、フランジ部７１ｂには、凹部７１ｃとは９０°位相が異なる箇所に一対の凸状の嵌合部７１ｄが設けられている。そして、電動モータ５の反固定端部側には、フランジ部７１ｂの凸状の嵌合部７１ｄと嵌合可能な凹状の嵌合部５ｃが設けられている。図６に示すように、ホルダ部７１の凸状の嵌合部７１ｄが電動モータ５の凹状の嵌合部５ｃに対して軸方向に嵌合することで、ホルダ部７１は電動モータ５の反固定端部に対して固定される。そして、この状態で各バスバー７０の一端部７０ａがモータ端子５ｄに対して溶接されることによりこれらが電気的に接続される。
【００３７】
また、図５に示すように、筒状部７１ａの先端部側の外周面には、筒状部７１ａの軸方向に沿って配置され、Ｏリング３８が装着される軸方向の装着面７１ｅと、筒状部７１ａの軸方向とは交差する方向に配置され、Ｏリング３８が突き当てられる突き当て面７１ｆと、から成る段差部が形成されている。図４に示すように、Ｏリング３８は、装着面７１ｅの外周に装着され、突き当て面７１ｆに突き当てられることで軸方向の一方の位置決めがなされる。
【００３８】
図７に示すように、キャップ部６２には、互いに１８０°対称となる位置に爪状に形成された一対の係合部６２ｂが設けられている。一方、本体部６１には、係合部６２ｂが導入される一対の導入部６１ａが設けられている。
【００３９】
図８に示すように、導入部６１ａ内には、係合部６２ｂと係合可能な被係合部６１ｂが設けられている。係合部６２ｂと被係合部６１ｂとの係合構造は、所謂スナップフィット式の係合構造である。係合部６２ｂが電動モータ５の軸方向に沿って導入部６１ａに導入されると、各係合部６２ｂが互いに離れる方向に撓んで弾性変形し、被係合部６１ｂに達したときに各係合部６２ｂが弾性復帰することによって被係合部６１ｂと係合した状態又は係合可能な状態となる。また、図７に示すように、キャップ部６２が有するコネクタ部６２ａの内周面には、周方向に渡って連続する環状の突壁部６２ｃが設けられている。
【００４０】
この環状の突壁部６２ｃは、図８に示すように、キャップ部６２が本体部６１に取り付けられた状態で、ホルダ部７１に設けられた突き当て面７１ｆと協働してＯリング３８を挟んで保持する部分である。すなわち、Ｏリング３８がホルダ部７１の装着面７１ｅに装着されると共に、当該ホルダ部７１が電動モータ５に対して固定され、さらに、電動モータ５が本体部６１に収容された状態で、キャップ部６２が本体部６１に対して取り付けられると、キャップ部６２の突壁部６２ｃによってＯリング３８が電動モータ５の軸方向に押され、Ｏリング３８がホルダ部７１の突き当て面７１ｆに押し付けられる。これにより、Ｏリング３８は電動モータ５の軸方向に圧縮された状態で突壁部６２ｃと突き当て面７１ｆとの間で挟まれて保持される。
【００４１】
以上のように、本実施形態に係る電動アクチュエータ１においては、弾性部材としてのＯリング３８がホルダ部７１の突き当て面７１ｆとキャップ部６２の突壁部６２ｃとの間に設けられていることで、電動モータ５の反固定端部側がＯリング３８によって弾性的に支持される。すなわち、本実施形態においては、電動モータ５の反固定端部側と、この反固定端部側に固定されているホルダ部７１、及びホルダ部７１に保持されるバスバー７０が、モータケース６０の内面に対して隙間を介して配置され、モータケース６０に対して固定されていないが、ホルダ部７１がＯリング３８を介してモータケース６０に接触していることで、電動モータ５の反固定端部側が弾性的に支持される。これにより、電動モータ５の反固定端部側に振れが生じたとしても、その振れがＯリング３８によって吸収されることで、振れが抑制され、モータケース６０の内面に対するホルダ部７１の衝突を回避することができる。あるいは、モータケース６０の内面に対してホルダ部７１が衝突したとしても、その衝突による衝撃を抑制することができる。その結果、衝突に起因するモータ端子５ｄとバスバー７０との溶接個所における負荷を低減することができ、溶接個所の破損を防止できるようになる。
【００４２】
ここで、本実施形態では、Ｏリング３８が電動モータ５の軸方向に圧縮されて保持されているため、Ｏリング３８による軸方向の弾性反発力によって、電動モータ５の軸方向の振れ（振れの軸方向成分）を抑制することが可能である。ただし、Ｏリング３８によって抑制される振れは、電動モータ５の軸方向の振れだけに限らず、他の任意の方向の振れも抑制することが可能である。すなわち、ホルダ部７１とキャップ部６２との間で生じるＯリング３８の摩擦力やＯリング３８の種々の方向に作用する弾性力によって、電動モータ５の軸方向と交差する任意の方向の振れも抑制することが可能である。
【００４３】
このように、本発明によれば、電動モータ５の反固定端部側の振れを高度に抑制することができるので、厳しい振動環境下であってもモータ端子５ｄとバスバー７０との接続状態を良好に維持することができ、信頼性の高い電動アクチュエータを提供できるようになる。
【００４４】
また、本実施形態のように、Ｏリング３８がキャップ部６２とホルダ部７１との間で電動モータ５の軸方向に挟まれていることで、キャップ部６２の係合部６２ｂと本体部６１の被係合部６１ｂとの間での軸方向のガタつきを無くすことができる。すなわち、Ｏリング３８が上述の軸方向の弾性反発力を生じさせることで、その弾性反発力により係合部６２ｂが被係合部６１ｂに対して係合する方向に付勢されるので、係合部６２ｂが被係合部６１ｂに対して確実に係合される。これにより、本体部６１に対するキャップ部６２の組付け性が向上する。
【００４５】
以上、本発明に係る電動アクチュエータの実施形態について説明したが、本発明は上記実施形態に何ら限定されるものではなく、本発明の要旨を逸脱しない範囲内において、さらに種々なる形態で実施し得ることは勿論のことである。
【００４６】
上述の実施形態では、弾性部材としてＯリング３８を採用し、Ｏリング３８を筒状部７１ａの外周に装着することで、弾性部材の装着を容易に行えるようにしているが、弾性部材はＯリングに限らず、電動モータの振れを抑制できるものであれば他の弾性部材を採用することも可能である。また、バスバー７０をホルダ部７１で保持しない（ホルダ部７１を備えない）構成とすることも可能であり、その場合、バスバー７０を弾性部材に直接接触させてケースとの間で弾性部材を挟むようにしてもよい。
【００４７】
また、上述の実施形態では、電動アクチュエータ１のケースが、本体部６１とキャップ部６２とから成るモータケース６０と、ギヤケース１０と、ねじ軸ケース２０と、ブーツカバー２５とで構成されているが、ケースの構造は上述の実施形態のものに限らない。ケースの形状や分割構造は、電動アクチュエータの内部構造の仕様変更や組付け性などに応じて適宜変更可能である。
【符号の説明】
【００４８】
１      電動アクチュエータ
３      駆動伝達機構
４      運動変換機構
５      電動モータ
３８    Ｏリング（弾性部材）
６０    モータケース
６１    本体部（第１ケース分割体）
６２    キャップ部（第２ケース分割体）
７０    バスバー（導電部材）
７１    ホルダ部
７１ａ  筒状部
【図１】
2020005454.tif 000003
【図２】
2020005454.tif 000004
【図３】
2020005454.tif 000005
【図４】
2020005454.tif 000006
【図５】
2020005454.tif 000007
【図６】
2020005454.tif 000008
【図７】
2020005454.tif 000009
【図８】
2020005454.tif 000010